(57)【要約】【課題】ワークを固定部材に押し付けて保持する保持装置の操作性を向上させる。【解決手段】ワークＷを押し付けるピン４と、ピン４を内挿する挿通孔６１を有する基体６と、ピン４を先方に付勢するピン付勢手段５と、基体６の周壁に設けられた開口部６ａと、ピン４の周面に開口部６ａから基体６の外に露出させて設けられたロッド７１と、ロッド７１に摺動自在に設けられたノブ７２と、ノブ７２をピン４側に付勢するノブ付勢手段８と、基体６の周壁の後方側にロッド７１の基部側に向かって凹んで設けられた段部６ｃとを備え、ノブ７２を後方へ引張しピン４がピン付勢手段５の付勢力に抗して後方に移動した際に、ノブ７２がノブ付勢手段８の付勢力によりロッド７１の基端側に移動して段部６ｃに受け入れられ、ノブ７２の外周面が段差６ｄと係合してピン４が後方に移動した状態が維持される。【選択図】図２
0003132027.tif 000002
【実用新案登録請求の範囲】
【請求項１】
ワークを第１固定部材に押し付けて保持する保持装置において、
前記ワークを先端で押し付けるピンと、
該ピンを摺動自在に内挿する挿通孔を有し、第２固定部材に固定される基体と、
該ピンを先方に付勢するピン付勢手段と、
前記基体の周壁に設けられ、前記挿通孔に連通させ前記ピンの軸方向に沿って延びて開口する開口部と、
前記ピンの周面に、前記開口部から前記基体の外に露出し、且つ前記開口部に沿って前記ピンと共に移動自在に設けられたロッドと、
前記ロッドの前記基体から外に露出した箇所に位置させて前記ロッドに摺動自在に設けられたノブと、
該ノブを前記ピン側に付勢するノブ付勢手段と、
前記基体の周壁の後方側に前記ロッドの基部側に向かって凹んで設けられた段部とを備え、
前記ノブを把持して前記開口部に沿って前記ピンの後方へ引張し前記ピンが前記ピン付勢手段の付勢力に抗して後方に移動した際に、前記ノブが前記段部に位置すると共に前記ノブ付勢手段の付勢力により前記ロッドの基端側に移動して前記段部に受け入れられ、該ノブの外周面が該段部により形成された段差と係合して、前記ピンが後方に移動した状態が維持されることを特徴とする保持装置。
【請求項２】
前記ピンの先端部を受け入れる凹部を有し、該凹部に前記ピンの先端を挿入して前記ピンの先端に着脱自在に設けられ、前記ワークに当接する当接部材を備え、
前記ピンの先端部の周面には、前記ピンの軸線に平行な平面が形成され、
該当接部材には、前記ピンの先端部に形成された平面に対向して設けられ該平面と係合して前記当接部材をピンに対して回り止めする係合面が形成されていることを特徴とする請求項１に記載の保持装置。
【考案の詳細な説明】
【技術分野】
【０００１】
本考案は、ワークを固定部材に押し付けて保持する保持装置に関する。
【背景技術】
【０００２】
従来、テーブルに載置されたワークを固定部材に押し付けて保持する保持装置が知られている（例えば、特許文献１参照）。この保持装置は、先端部でワークを押圧し固定部材に押し付けるピンと、ピンの後端部に設けられたノブと、ピンを先端側に付勢するバネと、ピンの後端部を摺動自在に内挿する挿通孔を有しテーブルに固定される基体と、基体の周壁に挿通孔と連通させて穿設されたネジ孔と、ネジ孔に螺合しピンの周面に接触してピンを固定自在なダイヤルネジとを備える。
【０００３】
この保持装置では、ピンの後端部に設けられたノブを一方の手で把持しバネの付勢力に抗して後方に引張することにより、ピンによるワークの保持が解除される。そして、他方の手でダイヤルネジを回してピンの外周面をダイヤルネジの先端で押し付けることにより、ピンが後方に移動した状態が維持される。
【０００４】
しかしながら、従来の保持装置は、上述の様にピンが後方に移動した状態を維持させる操作を行う際に両手を使う必要があった。又、ピンを後方へ引張してからダイヤルネジを回す必要があり、操作が煩雑であった。
【特許文献１】特公昭４７−１１６２５号公報
【考案の開示】
【考案が解決しようとする課題】
【０００５】
本考案は、以上の点に鑑み、操作が容易で使い勝手のよい保持装置を提供することを目的とする。
【課題を解決するための手段】
【０００６】
上記目的を達成するため、本考案は、ワークを第１固定部材に押し付けて保持する保持装置において、前記ワークを先端で押し付けるピンと、該ピンを摺動自在に内挿する挿通孔を有し、第２固定部材に固定される基体と、該ピンを先方に付勢するピン付勢手段と、前記基体の周壁に設けられ、前記挿通孔に連通させ前記ピンの軸方向に沿って延びて開口する開口部と、前記ピンの周面に、前記開口部から前記基体の外に露出し、且つ前記開口部に沿って前記ピンと共に移動自在に設けられたロッドと、前記ロッドの前記基体から外に露出した箇所に位置させて前記ロッドに摺動自在に設けられたノブと、該ノブを前記ピン側に付勢するノブ付勢手段と、前記基体の周壁の後方側に前記ロッドの基部側に向かって凹んで設けられた段部とを備える。
【０００７】
そして、前記ノブを把持して前記開口部に沿って前記ピンの後方へ引張し前記ピンが前記ピン付勢手段の付勢力に抗して後方に移動した際に、前記ノブが前記段部に位置すると共に前記ノブ付勢手段の付勢力により前記ロッドの基端側に移動して前記段部に受け入れられ、該ノブの外周面が該段部により形成された段差と係合して、前記ピンが後方に移動した状態が維持されることを特徴とする。
【０００８】
かかる考案によれば、前記ノブを後方へ引張すると前記ロッドを介して前記ピンが前記ピン付勢手段の付勢力に抗して後方へ移動する。そして、前記ノブが前記ノブ付勢手段の付勢力により前記ロッドの基部側に移動して前記段部に受入られ、前記ノブの外周面が前記基体に形成された前記段差と係合する。これにより、前記ピンが後方へ移動した状態が維持される。このように、本考案によれば、片手で操作することができ操作が容易となる。
【０００９】
又、本考案の保持装置においては、前記ピンの先端部を受け入れる凹部を有し、該凹部に前記ピンの先端を挿入して前記ピンの先端に着脱自在に設けられ、前記ワークに当接する当接部材を備え、前記ピンの先端部の周面には、前記ピンの軸線に平行な平面が形成され、該当接部材には、前記ピンの先端部に形成された平面に対向して設けられ該平面と係合して前記当接部材をピンに対して回り止めする係合面が形成されていることが好ましい。
【００１０】
前記ワークに当接する当接部材は前記ワークの形状や材質に応じて適宜選択される。前記当接部材の中には前記ピンを軸に回転してしまうと前記ワークに対し適切に当接できず前記ワークを確実に保持できないものもある。
【００１１】
そこで、上述の如く構成すれば、前記ピンの先端に取り付けられる前記当接部材が回り止めされているため、意図せずに前記当接部材が前記ピンを軸に回転することを防止することができる。これにより、かかる構成によれば前記当接部材を適切に前記ワークに当接させることができ、前記ワークを前記第１固定部材に押し付けて適切に保持することができる。
【考案を実施するための最良の形態】
【００１２】
本考案の実施の形態を図１から図４を参照して説明する。図１は本考案の保持装置の実施形態の使用状態を示す説明図、図２は本実施形態の保持装置を一部分解して示した説明図、図３は本実施形態の保持装置を一部断面で示す説明図、図４は本実施形態の保持装置のピンを後方へ移動させた状態を示す説明的断面図である。
【００１３】
図１に示すように、本考案の実施形態の保持装置１は、第２固定部材としてのテーブル２に取り付けられ、テーブル２に載置された長方形状のワークＷをテーブル２に対して垂直に設けられた棒状の第１固定部材３に押し付けることにより、ワークＷを保持するものである。本実施形態の保持装置１は、図２に示す様に、先端にワークＷと当接する当接部材４１が着脱自在に設けられたピン４と、ピン４を先端側に付勢するピン付勢手段としてのバネ５と、ピン４を摺動自在に内挿する挿通孔６１を有する基体６とを備える。当接部材４１は、ワークＷの角部と当接すべく当接面４１ａがＶ字状に形成されている。
【００１４】
図３に当接部材４１を省略して示す様に、基体６には挿通孔６１に連通すると共にピン４の軸線方向に沿って延びる様に開口する開口部６ａが形成されている。ピン４には、ピン４の軸線に対して直交させて開口部６ａから基体６の外に露出するように連結されたロッド７１が設けられている。ロッド７１は、開口部６ａに沿ってピン４と共に移動自在とされている。ロッド７１には、基体６から外に露出した箇所に位置させてロッド７１に対して間隔を存して摺動自在に設けられた円筒状のノブ７２が設けられている。
【００１５】
ロッド７１の外方端部にはフランジ７１ａが形成されている。又、ノブ７２の内方端部には、内径が縮径された縮径部７２ａが形成されている。この縮径部７２ａと、ロッド７１のフランジ７１ａとの間にノブ付勢手段としてのバネ８が配置される。このバネ８により、ノブ７２がロッド７１に対してピン４側に付勢される。
【００１６】
ピン４の先端部にはフランジ４ａが形成されている。このフランジ４ａと基体６の先端縁６ｂとの間にピン付勢手段としてのバネ５が配置される。フランジ４ａの周面には一対の平面４ｂが形成されている。又、図２に示す様に、当接部材４１の後端にはピン４のフランジ４ａを受け入れるように凹んだ凹部４１ｂが形成されている。この凹部４１ｂには平面４ｂと係合して当接部材４１がピン４を軸に回転することを阻止するための係合面４１ｃが形成されている。
【００１７】
図３に示す様に、ピン４の後端部には基体６の内径よりも大きく径方向外方に張り出したフランジ４ｃが形成されている。これによりバネ５の付勢力によりピン４が基体６に対して先方に移動しても、ピン４のフランジ４ｃが基体６の後端縁６ｅに係止され、ピン４が基体６から完全に抜け出てしまうことを防止することができる。
【００１８】
基体６の後方の外周面には、開口部６ａが設けられた箇所に位置させてピン４側に凹んだ段部６ｃが形成されている。この段部６ｃにより段差６ｄが形成される。図４に当接部材４１を省略して示す様に、段差６ｄは、ピン４がバネ５の付勢力に抗して後方へ移動した際に、バネ８の付勢力によりロッド７１に沿ってピン４側に移動して段部６ｃに落ち込んだノブ７２の外周面と係合する。これにより、ピン４は基体６に対して後方に移動した状態を維持する。
【００１９】
図２に示す様に、基体６にはテーブル２と平行に張り出す一対の張出部６２が設けられている。各張出部６２にはテーブル２の垂直方向に貫通する貫通孔６２ａが２つ設けられている。この貫通孔６２ａに図示しないボルトを挿入し図１に示すようにテーブル２に固定する。
【００２０】
又、ピン４の先端には軸方向に沿うようにネジ孔４ｄが穿設されている。当接部材４１には、ネジ孔４ｄに位置させて、凹部４１ｂから当接面４１ａに向かって貫通するように貫通孔４１ｄが穿設されている。当接部材４１は、凹部４１ｂにピン４のフランジ４ａを内挿させた状態で、貫通孔４１ｄを通過してネジ孔４ｄに螺合するボルト９により、ピン４の先端に着脱自在に取り付けられる。
【００２１】
本実施形態の保持装置１を使用する際には、まず、ノブ７２を開口部６ａに沿って後方へ引張し、ロッド７１を介してピン４を基体６に対して後方へ移動させる。そして、ノブ７２がバネ８の付勢力によりロッド７１に沿ってピン４側に移動し段部６ｃに落ち込むまでピン４を後方へ移動させ、ノブ７２の外周面と段差６ｄとを係合させる。これによりピン４が基体６に対して後方へ移動した状態を維持される。
【００２２】
そして、テーブル２の上にワークＷを載置する。そして、ノブ７２をロッド７１に沿って外方へ引張しノブ７２と段差６ｄとの係合を解除することにより、ピン４はバネ５の付勢力により基体６に対して先方に突出される。ピン４の先端に設けられた当接部材４１はワークＷの角部に当接し、ワークＷを第１固定部材３に押し付けてワークＷが保持される。
【００２３】
本実施形態の保持装置１によれば、ノブ７２を把持して開口部６ａに沿って後方へ引張することにより、ピン４を後方に移動させた状態を維持させることができる。従って、１アクションでピン４を後方に移動させると共にその状態を維持させることができる。このため、本実施形態の保持装置１は従来と比較して操作が容易となる。
【００２４】
又、ピン４の先端には、ワークＷに当接する当接部材４１が平面４ｃと係合面４１ｃとの係合により回り止めされて取り付けられている。従って、当接部材４１が意図せずにピン４を軸に回転して当接部材４１がワークＷの角部と適切に当接できなくなることを防止することができる。
【００２５】
尚、本実施形態においては、当接部材４１として、Ｖ字状の当接面４１ａを備えるものを用いて説明したが、これに限られず、例えば、当接面がピン４の軸線に直交する平坦面であっても、本考案の操作性を向上させるという効果を得る。又、本実施形態においては、当接部材４１として長方体形状のものを用いて説明したが、これに限られず例えば円柱形状であってもよい。
【図面の簡単な説明】
【００２６】
【図１】本考案の保持装置の実施形態の使用状態を示す説明図。
【図２】実施形態の保持装置を一部分解して示した説明図。
【図３】実施形態の保持装置を一部断面で示す説明図。
【図４】実施形態の保持装置のピンを後方へ移動させた状態を示す説明的断面図
【符号の説明】
【００２７】
１…保持装置、  ２…テーブル（第２固定部材）、  ３…第１固定部材、  ４…ピン、  ４ａ…フランジ、  ４ｂ…平面、  ４ｃ…フランジ、  ４ｄ…ネジ孔、  ４１…当接部材、４１ａ…当接面、  ４１ｂ…凹部、  ４１ｃ…係合面、  ４１ｄ…貫通孔、  ５…バネ（ピン付勢手段）、  ６…基体、  ６ａ…開口部、  ６ｂ…先端縁、  ６ｃ…段部、  ６ｄ…段差、  ６ｅ…後端縁、  ６１…挿通孔、  ６２…張出部、  ６２ａ…貫通孔、  ７１…ロッド、  ７１ａ…フランジ、  ７２…ノブ、  ７２ａ…縮径部、  ８…バネ（ノブ付勢手段）、  ９…ボルト、  Ｗ…ワーク。
【図１】
0003132027.tif 000003
【図２】
0003132027.tif 000004
【図３】
0003132027.tif 000005
【図４】
0003132027.tif 000006